(57)【要約】【課題】回転電機の回転効率を向上し、かつ、コイルを効率よく冷却する。【解決手段】実施形態の回転電機は、筒状のステータコアと、ステータコアに装着されたコイルと、を有するステータと、ステータの径方向内側に配置されたロータ４と、を備え、ロータ４は、軸心冷却による冷媒が流通可能なロータ内部流路を有するロータコアと、ロータコアの軸方向端部に配置された端面板２３と、を備え、端面板２３は、ロータ内部流路に連通する冷媒流通孔３０と、少なくとも冷媒流通孔３０と端面板２３の外周縁２３ａとの間に配置された表面処理部３１と、を有し、表面処理部３１の表面張力は、端面板２３の表面張力よりも小さい。【選択図】図２
2020114108.tif 000002
【特許請求の範囲】
【請求項１】
筒状のステータコアと、前記ステータコアに装着されたコイルと、を有するステータと、
前記ステータの径方向内側に配置されたロータと、を備え、
前記ロータは、
軸心冷却による冷媒が流通可能な冷媒流路を有するロータコアと、
前記ロータコアの軸方向端部に配置された端面板と、を備え、
前記端面板は、
前記冷媒流路に連通する冷媒流通孔と、
少なくとも前記冷媒流通孔と前記端面板の外周縁との間に配置された表面処理部と、を有し、
前記表面処理部の表面張力は、前記端面板および前記冷媒の少なくとも一方の表面張力よりも小さいことを特徴とする回転電機。
【請求項２】
前記表面処理部は、少なくとも前記冷媒流通孔と前記端面板の外周縁との間を覆う被膜を有することを特徴とする請求項１に記載の回転電機。
【請求項３】
前記表面処理部は、微細な凹凸構造を有することを特徴とする請求項１または２に記載の回転電機。
【請求項４】
軸方向から見て、前記表面処理部は、前記端面板の外周に沿う環状を有することを特徴とする請求項１から３のいずれか一項に記載の回転電機。
【発明の詳細な説明】
【技術分野】
【０００１】
本発明は、回転電機に関する。
【背景技術】
【０００２】
ハイブリッド自動車や電気自動車等に搭載される回転電機では、コイルに電流が供給されることでステータコアに磁界が形成され、ロータの磁石とステータコアとの間に磁気的な吸引力や反発力が生じる。これにより、ロータがステータに対して回転する。
回転電機は、作動に伴って熱を発生するため、冷媒によって冷却される。例えば、ロータの内部には、径方向内側から径方向外側に向かって冷媒流路が設けられている。例えば、ロータ内周部に一旦溜められた冷媒をロータの回転に伴う遠心力により冷媒流路を介して径方向内側から径方向外側に向けて移動させることで、冷媒により回転電機を冷却している。
【０００３】
ところで、ロータの回転に伴う遠心力により冷媒流路を介して径方向内側から径方向外側に冷媒を移動させると、冷媒流路から排出された冷媒がステータの内周面とロータの外周面との間（エアギャップ）に入り込むおそれがある。冷媒がステータの内周面とロータの外周面との間に入り込むと、冷媒がロータの回転に対する抵抗として作用し、回転電機の回転効率が低下するおそれがある。そこで、回転電機の回転効率を向上するための構成が種々検討されている。
【０００４】
例えば、特許文献１には、ロータの軸方向端面と軸方向に隣接し、かつ、ステータの内周面と径方向に隣接する壁体を設け、壁体を冷媒の流出開口よりもステータの内周面側に設けた構造が開示されている。特許文献１では、壁体によって流出開口から流出した冷媒がステータの内周面とロータの外周面との間に入り込むことを抑制している。
【先行技術文献】
【特許文献】
【０００５】
【特許文献１】特許第５４１７９６０号公報
【発明の概要】
【発明が解決しようとする課題】
【０００６】
しかしながら、壁体を冷媒の流出開口よりもステータの内周面側に設けると、流出開口から流出した冷媒が壁体で遮られるため、冷媒がステータのコイルに飛散しにくくなり、コイルを効率よく冷却することができないおそれがある。
【０００７】
そこで本発明は、回転電機の回転効率を向上し、かつ、コイルを効率よく冷却することができる回転電機を提供することを目的とする。
【課題を解決するための手段】
【０００８】
（１）本発明の一態様に係る回転電機（例えば、実施形態における回転電機１）は、筒状のステータコア（例えば、実施形態におけるステータコア１１）と、前記ステータコアに装着されたコイル（例えば、実施形態におけるコイル１２）と、を有するステータ（例えば、実施形態におけるステータ３）と、前記ステータの径方向内側に配置されたロータ（例えば、実施形態におけるロータ４）と、を備え、前記ロータは、軸心冷却による冷媒が流通可能な冷媒流路（例えば、実施形態におけるロータ内部流路１４）を有するロータコア（例えば、実施形態におけるロータコア２１）と、前記ロータコアの軸方向端部に配置された端面板（例えば、実施形態における端面板２３）と、を備え、前記端面板は、前記冷媒流路に連通する冷媒流通孔（例えば、実施形態における冷媒流通孔３０）と、少なくとも前記冷媒流通孔と前記端面板の外周縁との間に配置された表面処理部（例えば、実施形態における表面処理部３１）と、を有し、前記表面処理部の表面張力（例えば、実施形態における表面処理部の表面張力Ｆ１）は、前記端面板および前記冷媒の少なくとも一方の表面張力（例えば、実施形態における冷媒の表面張力Ｆ２）よりも小さい。
（２）本発明の一態様において、前記表面処理部は、少なくとも前記冷媒流通孔と前記端面板の外周縁との間を覆う被膜を有していてもよい。
（３）本発明の一態様において、前記表面処理部は、微細な凹凸構造を有していてもよい。
（４）本発明の一態様において、軸方向から見て、前記表面処理部は、前記端面板の外周に沿う環状を有していてもよい。
【発明の効果】
【０００９】
上記（１）の態様によれば、端面板が少なくとも冷媒流通孔と端面板の外周縁との間に配置された表面処理部を有することで、ロータの回転に伴う遠心力により、冷媒流通孔から流出した冷媒を表面処理部に沿ってスムーズに流すことができる。そのため、表面処理部を有しない場合と比較して、冷媒流通孔から流出した冷媒が滞留することにより端面板の外周縁に向けて濡れ広がることを抑制することができる。加えて、表面処理部の表面張力が端面板および冷媒の少なくとも一方の表面張力よりも小さいことで、表面処理部の表面張力が端面板および冷媒のそれぞれの表面張力以上の場合と比較して、表面処理部を流れる冷媒を滑り易くすることができる。そのため、ロータの回転に伴う遠心力により、表面処理部を流れる冷媒を径方向外方に飛び出しやすくすることができる。加えて、ステータの内周面側に壁体を設けた構造と比較して、冷媒流通孔から流出した冷媒がステータのコイルに飛散しやすい。したがって、回転電機の回転効率を向上し、かつ、コイルを効率よく冷却することができる。
上記（２）の態様によれば、表面処理部が少なくとも冷媒流通孔と端面板の外周縁との間を覆う被膜を有することで、ロータの回転に伴う遠心力により、冷媒流通孔から流出した冷媒を被膜の表面で滑らせることができる。
上記（３）の態様によれば、表面処理部が微細な凹凸構造を有することで、表面処理部が平面の場合と比較して、表面処理部と冷媒との接触面積が小さくなる（不均一な濡れ状態となる）。そのため、ロータの回転に伴う遠心力により、冷媒流通孔から流出した冷媒を凹凸構造で弾くことができる。
上記（４）の態様によれば、軸方向から見て表面処理部が端面板の外周に沿う環状を有することで、ロータの回転に伴う遠心力により、表面処理部を流れる冷媒を、端面板の全周にわたって、表面処理部に沿ってスムーズに流すことができる。
【図面の簡単な説明】
【００１０】
【図１】第一実施形態に係る回転電機の概略構成図。
【図２】第一実施形態に係るロータを軸方向から見た、要部拡大図。
【図３】図２のＩＩＩ−ＩＩＩ断面図。
【図４】第一実施形態の表面処理部における接触角を示す図。
【図５】比較例に係るロータを軸方向から見た、要部拡大図。
【図６】第二実施形態に係る表面処理部の断面図。
【図７】第二実施形態の第一変形例に係る表面処理部の断面図。
【図８】第二実施形態の第二変形例に係る表面処理部の断面図。
【図９】第二実施形態の第三変形例に係る表面処理部の断面図。
【図１０】第二実施形態の第四変形例に係る表面処理部の断面図。
【発明を実施するための形態】
【００１１】
以下、本発明の実施形態について図面を参照して説明する。実施形態においては、ハイブリッド自動車や電気自動車等の車両に搭載される回転電機（走行用モータ）を挙げて説明する。
【００１２】
［第一実施形態］
＜回転電機＞
図１は、第一実施形態に係る回転電機１の全体構成を示す概略構成図である。図１は、軸線Ｃを含む仮想平面で切断した断面を含む図である。
図１に示すように、回転電機１は、ケース２、ステータ３、ロータ４、出力シャフト５、および冷媒供給機構（不図示）を備える。
【００１３】
ケース２は、ステータ３およびロータ４を収容する筒状の箱形をなしている。ケース２内には、冷媒（不図示）が収容されている。ステータ３の一部は、ケース２内において、冷媒に浸漬された状態で配置されている。例えば、冷媒としては、トランスミッションの潤滑や動力伝達等に用いられる作動油である、ＡＴＦ（Ａｕｔｏｍａｔｉｃ  Ｔｒａｎｓｍｉｓｓｉｏｎ  Ｆｌｕｉｄ）等が用いられる。
【００１４】
出力シャフト５は、ケース２に回転可能に支持されている。図２において符号６は、出力シャフト５を回転可能に支持する軸受を示す。以下、出力シャフト５の軸線Ｃに沿う方向を「軸方向」、軸線Ｃに直交する方向を「径方向」、軸線Ｃ周りの方向を「周方向」とする。
【００１５】
出力シャフト５は、出力シャフト５に同心で設けられた軸心冷媒路５ａと、軸心冷媒路５ａから径方向外方に延在する径方向冷媒路５ｂと、を有する。径方向冷媒路５ｂは、周方向に間隔をあけて複数配置されている。図１の例では、径方向冷媒路５ｂは、軸心冷媒路５ａの軸方向中央部から径方向外方に延びて出力シャフト５の外周面で開口している。
【００１６】
ステータ３は、ステータコア１１と、ステータコア１１に装着されたコイル１２と、を備える。
ステータコア１１は、軸線Ｃと同軸に配置された筒状をなしている。ステータコア１１は、ケース２の内周面に固定されている。例えば、ステータコア１１は、電磁鋼板が軸方向に積層されて構成されている。なお、ステータコア１１は、金属磁性粉末を圧縮成形した、いわゆる圧粉コアであってもよい。
【００１７】
コイル１２は、ステータコア１１に装着されている。コイル１２は、周方向に関して互いに１２０°の位相差をもって配置されたＵ相コイル、Ｖ相コイル及びＷ相コイルを備える。コイル１２は、ステータコア１１のスロット１３に挿通された挿通部１２ａと、ステータコア１１から軸方向に突出したコイルエンド部１２ｂと、を備える。ステータコア１１には、コイル１２に電流が流れることで磁界が発生する。図１において、符号１２ｂ１は第一コイルエンド部、符号１２ｂ２は軸方向において第一コイルエンド部１２ｂ１とは反対側に位置する第二コイルエンド部をそれぞれ示す。
【００１８】
ロータ４は、ステータ３に対して径方向の内側に、間隔をあけて配置されている。ロータ４は、出力シャフト５に固定されている。ロータ４は、軸線Ｃ回りに出力シャフト５と一体で回転可能に構成されている。ロータ４は、ロータコア２１、磁石２２および端面板２３を備える。実施形態において、磁石２２は永久磁石である。
【００１９】
ロータコア２１は、軸線Ｃと同軸に配置された筒状をなしている。ロータコア２１の径方向内側には、出力シャフト５が圧入固定されている。ロータコア２１は、ステータコア１１と同様に電磁鋼板が軸方向に積層されて構成されていても、圧粉コアであってもよい。
【００２０】
ロータコア２１の外周部には、ロータコア２１を軸方向に貫通する磁石保持孔２５が設けられている。磁石保持孔２５は、周方向に間隔をあけて複数配置されている。各磁石保持孔２５内には、磁石２２が挿入されている。
【００２１】
ロータコア２１は、軸心冷却による冷媒が流通可能なロータ内部流路１４（冷媒流路）を有する。ロータ内部流路１４は、径方向において出力シャフト５（シャフト挿通孔８）と磁石２２（磁石保持孔２５）との間に配置されている。
【００２２】
ロータ内部流路１４は、径方向に延在する径方向流路１４ａと、軸方向に延在する軸方向流路１４ｂと、を有する。径方向流路１４ａは、出力シャフト５の径方向冷媒路５ｂとロータ内部流路１４の軸方向流路１４ｂとを連通している。軸方向流路１４ｂは、端面板２３の冷媒流通孔３０とロータ内部流路１４の径方向流路１４ａとを連通している。径方向流路１４ａおよび軸方向流路１４ｂは、周方向に間隔をあけて複数配置されている。
【００２３】
端面板２３は、ロータコア２１に対して軸方向の両端部に配置されている。端面板２３の径方向内側には、出力シャフト５が圧入固定されている。端面板２３は、ロータコア２１における少なくとも磁石保持孔２５を軸方向の両端側から覆っている。端面板２３は、ロータコア２１の軸方向の外端面に当接している。
【００２４】
図２は、第一実施形態に係るロータ４を軸方向から見た、要部拡大図である。
図２に示すように、端面板２３は、ロータ内部流路１４（図１参照）に連通する冷媒流通孔３０と、少なくとも冷媒流通孔３０と端面板２３の外周縁２３ａとの間に配置された表面処理部３１と、を有する。冷媒流通孔３０は、周方向に間隔をあけて複数（例えば本実施形態では１２個）配置されている。
【００２５】
軸方向から見て、冷媒流通孔３０は、径方向外側に頂部３０ａを有する三角形状をなしている。軸方向から見て、冷媒流通孔３０の各角部は、角丸形状を有する。軸方向から見て、頂部３０ａは、径方向外側に凸の湾曲形状を有する。図中符号Ｋ１は、出力シャフト５の軸心（軸線Ｃ）と冷媒流通孔３０の頂部３０ａ（径方向外端）とを通る仮想直線を示す。軸方向から見て、冷媒流通孔３０は、仮想直線Ｋ１を対称軸とする線対称に形成されている。
【００２６】
軸方向から見て、表面処理部３１は、冷媒流通孔３０の頂部３０ａから端面板２３の外周縁２３ａの間に配置されている。軸方向から見て、表面処理部３１は、端面板２３の外周に沿う円環状を有している。表面処理部３１は、端面板２３の外周に沿って連続的につながっている。
【００２７】
図３は、図２のＩＩＩ−ＩＩＩ断面図である。
図３に示すように、表面処理部３１は、少なくとも冷媒流通孔３０と端面板２３の外周縁２３ａとの間を覆う被膜である。表面処理部３１の表面張力は、端面板２３の表面張力よりも小さい。例えば、端面板２３の表面張力よりも小さい材料を、端面板２３の外周に沿って塗布することにより表面処理部３１を形成する。例えば、表面処理部３１は、フッ素樹脂コーティングである。例えば、端面板２３がアルミニウム製の場合、表面処理部３１はアルミニウムよりも表面張力が小さいコーティングとする。
【００２８】
図４は、第一実施形態の表面処理部３１における接触角を示す図である。図４において、符号Ｆ１は表面処理部３１の表面張力、符号Ｆ２は液体（冷媒）の表面張力、符号Ｆ３は表面処理部３１と冷媒との間の表面張力（界面張力）、符号Ａ１は接触角をそれぞれ示す。ぬれの状態が安定しているとき、接触角Ａ１と表面張力Ｆ１〜Ｆ３との関係は、以下の式（１）が成り立つ（ヤングの式）。
Ｆ１＝Ｆ２×ｃｏｓＡ１＋Ｆ３  ・・・（１）
上記式（１）を変形すると、以下の式（２）となる。
ｃｏｓＡ１＝（Ｆ１−Ｆ３）／Ｆ２
上記式（２）より、表面処理部３１の表面張力Ｆ１を小さくすると接触角Ａ１が大きくなるため、表面処理部３１において冷媒を弾きやすくなる。すなわち、表面処理部３１の表面張力Ｆ１を小さくすることにより、表面処理部３１を流れる冷媒を滑り易くすることができる。例えば、接触角Ａ１を９０°よりも大きくし、表面処理部３１を撥水性（撥油性）とすることにより、表面処理部３１を流れる冷媒をより一層弾き易くすることができる。
【００２９】
＜冷媒の流れ＞
以下、図１等を参照して第一実施形態における冷媒の流れを説明する。
実施形態においては、出力シャフト５に設けた軸心冷媒路５ａを利用して、軸心冷却が行われる。冷媒供給機構（不図示）により、冷媒が軸心冷媒路５ａに供給される。ロータ４の回転に伴う遠心力により、冷媒には、径方向外側に向かう力が作用する。軸心冷媒路５ａに供給された冷媒は、遠心力により、径方向冷媒路５ｂを通ってロータ内部流路１４に供給される。ロータ内部流路１４に供給された冷媒は、径方向流路１４ａ、軸方向流路１４ｂを通って冷媒流通孔３０からロータ４の外部へ排出される。このように、冷媒がロータ内部流路１４を移動することにより、ロータコア２１が冷却される。
ロータ４の外部へ排出される冷媒の一部は、コイルエンド部１２に向かって飛散する。また、ロータ４の外部へ排出される冷媒の残りの一部は、表面処理部３１に沿って径方向外方へ移動し、コイルエンド部１２に向かって飛散する。これにより、コイル１２が冷却される。
【００３０】
＜作用＞
以下、第一実施形態の回転電機１の作用について説明する。
まず、比較例について説明する。
図５は、比較例に係るロータ４Ｘを軸方向から見た、要部拡大図である。
図５に示すように、比較例におけるロータ４Ｘは、実施形態における表面処理部３１を有していない。比較例においては、冷媒流通孔３０から流出した冷媒は、その場に滞留することにより、端面板２３の外周縁２３ａに向けて濡れ広がる。図中符号Ｓ１は、冷媒が冷媒流通孔３０から端面板２３の外周縁２３ａに向けて濡れ広がる領域を示す。
【００３１】
比較例においては、端面板２３の外周縁２３ａに向けて濡れ広がった冷媒が、ステータの内周面とロータの外周面との間（エアギャップ）に入り込む可能性が高い。そのため、比較例においては、ステータの内周面とロータの外周面との間に入り込んだ冷媒がロータの回転に対する抵抗として作用し、回転電機の回転効率が低下するおそれがある。
【００３２】
次に、第一実施形態について説明する。
第一実施形態においては、端面板２３の表面（軸方向外面）における、冷媒流通孔３０と端面板２３の外周縁２３ａとの間に表面処理部３１が設けられている（図３参照）。そのため、ロータ４の回転に伴う遠心力により、冷媒流通孔３０から流出した冷媒を表面処理部３１に沿ってスムーズに流すことができる。
加えて、表面処理部３１の表面張力が端面板２３の表面張力よりも小さい。そのため、表面処理部３１の表面張力が端面板２３の表面張力以上の場合と比較して、表面処理部３１を流れる冷媒を滑り易くすることができる。
よって、ロータ４の回転に伴う遠心力により、表面処理部３１を流れる冷媒を径方向外方に飛び出しやすくすることができる。表面処理部３１から径方向外方に飛び出した冷媒は、ステータ３の内周面とロータ４の外周面との間に入り込む可能性が低い。したがって、第一実施形態においては、冷媒がロータ４の回転に対する抵抗として作用する可能性は低く、回転電機１の回転効率が低下する可能性は低い。
【００３３】
以上説明したように、上記実施形態の回転電機１は、筒状のステータコア１１と、ステータコア１１に装着されたコイル１２と、を有するステータ３と、ステータ３の径方向内側に配置されたロータ４と、を備え、ロータ４は、軸心冷却による冷媒が流通可能なロータ内部流路１４を有するロータコア２１と、ロータコア２１の軸方向端部に配置された端面板２３と、を備え、端面板２３は、ロータ内部流路１４に連通する冷媒流通孔３０と、少なくとも冷媒流通孔３０と端面板２３の外周縁２３ａとの間に配置された表面処理部３１と、を有し、表面処理部３１の表面張力は、端面板２３の表面張力よりも小さい。
この構成によれば、端面板２３が少なくとも冷媒流通孔３０と端面板２３の外周縁２３ａとの間に配置された表面処理部３１を有することで、ロータ４の回転に伴う遠心力により、冷媒流通孔３０から流出した冷媒を表面処理部３１に沿ってスムーズに流すことができる。そのため、表面処理部３１を有しない場合と比較して、冷媒流通孔３０から流出した冷媒が滞留することにより端面板２３の外周縁２３ａに向けて濡れ広がることを抑制することができる。加えて、表面処理部３１の表面張力が端面板２３の表面張力よりも小さいことで、表面処理部３１の表面張力が端面板２３の表面張力以上の場合と比較して、表面処理部３１を流れる冷媒を滑り易くすることができる。そのため、ロータ４の回転に伴う遠心力により、表面処理部３１を流れる冷媒を径方向外方に飛び出しやすくすることができる。加えて、ステータの内周面側に壁体を設けた構造と比較して、冷媒流通孔３０から流出した冷媒がステータ３のコイル１２に飛散しやすい。したがって、回転電機１の回転効率を向上し、かつ、コイル１２を効率よく冷却することができる。加えて、表面処理部３１が軸方向両側の端面板２３のそれぞれに設けられていることで、第一コイルエンド部１２ｂ１および第二コイルエンド部１２ｂ２のそれぞれを冷却することができる。したがって、表面処理部３１が片側の端面板２３のみに設けられた場合と比較して、コイル１２をより一層効率よく冷却することができる。
【００３４】
上記実施形態では、表面処理部３１が少なくとも冷媒流通孔３０と端面板２３の外周縁２３ａとの間を覆う被膜を有することで、以下の効果を奏する。
ロータ４の回転に伴う遠心力により、冷媒流通孔３０から流出した冷媒を被膜の表面で滑らせることができる。例えば、端面板２３の表面張力よりも小さい材料を、端面板２３の外周に沿って塗布することにより、被膜（塗膜）を形成することができる。
【００３５】
上記実施形態では、軸方向から見て表面処理部３１が端面板２３の外周に沿う環状を有することで、以下の効果を奏する。
ロータ４の回転に伴う遠心力により、表面処理部３１を流れる冷媒を、端面板２３の全周にわたって、表面処理部３１に沿ってスムーズに流すことができる。
【００３６】
上述した実施形態では、表面処理部３１の表面張力が端面板２３の表面張力よりも小さい例を挙げて説明したが、これに限らない。例えば、表面処理部３１の表面張力は、冷媒の表面張力よりも小さくてもよい。すなわち、表面処理部３１の表面張力は、端面板２３および冷媒の少なくとも一方の表面張力よりも小さくてもよい。
【００３７】
上述した実施形態では、表面処理部３１がフッ素樹脂コーティングである例を挙げて説明したが、これに限らない。例えば、表面処理部３１は、ｎ−ヘキサン、ｎ−ペンタンであってもよい。ここで、ＡＴＦ（油）の表面張力は、２０ｍＮ／ｍ程度である。各種液体の２０℃の表面張力は、ｎ−ヘキサンが１８．４０ｍＮ／ｍであり、ｎ−ペンタンが１６．００ｍＮ／ｍである。例えば、冷媒としてＡＴＦを用いる場合、表面処理部３１をｎ−ヘキサン、ｎ−ペンタンの被膜（例えば、塗膜）とする。これにより、表面処理部３１の表面張力を冷媒の表面張力よりも小さくすることができる。
【００３８】
［第二実施形態］
第一実施形態では、表面処理部３１が冷媒流通孔３０と端面板２３の外周縁２３ａとの間を覆う被膜である例を挙げて説明したが、これに限らない。
図６は、第二実施形態に係る表面処理部２３１の断面図である。
図６に示すように、表面処理部２３１は、微細な凹凸構造を有していてもよい。断面視で、表面処理部２３１は、矩形の凹凸形状を有している。図中符号２３２は、凹凸構造を構成する凸部を示す。凸部２３２は、端面板２３の表面に間隔をあけて複数配置されている。例えば、複数の凸部２３２は、端面板２３と同一の部材で一体に形成されている。例えば、凸部２３２の幅Ｗ１、隣り合う２つの凸部２３２の配置間隔Ｗ２（以下「ピッチ」ともいう。）、凸部２３２の高さＨ１は、それぞれナノメートルオーダーの長さを有する。  
【００３９】
第二実施形態によれば、表面処理部２３１が微細な凹凸構造を有することで、表面処理部が平面の場合と比較して、表面処理部２３１と冷媒との接触面積が小さくなる（不均一な濡れ状態となる）。そのため、ロータの回転に伴う遠心力により、冷媒流通孔から流出した冷媒を凹凸構造で弾くことができる。
【００４０】
例えば、ピッチＷ２を凸部の幅Ｗ１も小さく、かつ、凸部の高さＨ１を凸部の幅Ｗ１よりも大きくすることが好ましい（Ｗ２＜Ｗ１＜Ｈ１）。これにより、冷媒流通孔から流出した冷媒を、凹凸構造でより効果的に弾きやすくすることができる。
例えば、凹凸構造の表面にフッ素樹脂コーティング等の被膜を形成することが好ましい。これにより、冷媒流通孔から流出した冷媒を、被膜でより効果的に弾きやすくすることができる。
【００４１】
上述した第二実施形態では、複数の凸部２３２が端面板２３と同一の部材で一体に形成されている例を挙げて説明したが、これに限らない。例えば、複数の凸部２３２は、端面板２３と異なる部材で形成され、それぞれ端面板２３と一体に結合されていてもよい。
【００４２】
上述した第二実施形態では、表面処理部２３１が矩形断面の凹凸形状を有する例を挙げて説明したが、これに限らない。
例えば、図７に示すように、表面処理部２３１Ａは、台形断面の複数の凸部２３２Ａを有していてもよい。
例えば、図８に示すように、表面処理部２３１Ｂは、半円断面の複数の凸部２３２Ｂを有していてもよい。
例えば、図９に示すように、表面処理部２３１Ｃは、半円断面の複数の凹部２３３Ｃを有していてもよい。
例えば、図１０に示すように、表面処理部２３１Ｄは、円形状断面の複数の凸部２３２Ｄを有していてもよい。
【００４３】
例えば、表面処理部は、ローレット加工により形成された凹凸構造（ローレット目）であってもよい。例えば、ローレット目は、ＪＩＳ規格（ＪＩＳ  Ｂ  ０９５１−１９６２）で規定される種類（平目およびアヤ目）、形状・寸法を適用してもよい。
【００４４】
上述した実施形態では、回転電機１が、ハイブリッド自動車や電気自動車等の車両に搭載される走行用モータである例を挙げて説明したが、これに限らない。例えば、回転電機１は、発電用モータやその他用途のモータ、車両用以外の回転電機（発電機を含む）であってもよい。
【００４５】
上述した実施形態では、出力シャフト５に設けた軸心冷媒路５ａを利用して、軸心冷却を行っている例を挙げて説明したが、これに限らない。例えば、ロータ４の回転により、端面板２３に設けられた誘導壁（不図示）に沿って冷媒を磁石２２に供給してもよい。例えば、ケース２等に設けた供給口を通して、端面板２３の開口部に冷媒を供給してもよい。
【００４６】
上述した実施形態では、表面処理部が軸方向両側の端面板２３のそれぞれに設けられている例を挙げて説明したが、これに限らない。例えば、表面処理部は、片側の端面板２３のみに設けられていてもよい。
【００４７】
上述した実施形態では、出力シャフト５の径方向冷媒路５ｂが軸心冷媒路５ａの軸方向中央部から径方向外方に延びる例を挙げて説明したが、これに限らない。例えば、径方向冷媒路５ｂは、軸方向に間隔をあけて複数配置されていてもよい。例えば、径方向冷媒路５ｂは、ロータコア２１の軸方向端部寄りに配置されていてもよい。この場合、ロータ内部流路１４の径方向流路１４ａは、ロータコア２１の軸方向端部寄りに配置されていてもよい。
【００４８】
上述した実施形態では、軸方向から見て表面処理部３１が端面板２３の外周に沿う環状を有する例を挙げて説明したが、これに限らない。例えば、表面処理部は、冷媒流通孔３０と端面板２３の外周縁２３ａとの間にのみ設けられていてもよい。例えば、表面処理部は、端面板２３の外周に沿って間隔をあけて複数配置されていてもよい。例えば、表面処理部は、端面板２３の表面全体に設けられていてもよい。すなわち、表面処理部は、少なくとも冷媒流通孔３０と端面板２３の外周縁２３ａとの間に配置されていればよい。
【００４９】
上述した実施形態では、軸方向から見て冷媒流通孔３０が径方向外側に頂部３０ａを有する三角形状をなしている例を挙げて説明したが、これに限らない。例えば、軸方向から見て、冷媒流通孔３０は、三角形状以外の形状を有していてもよい。例えば、軸方向から見て、冷媒流通孔３０は、矩形形状を有していてもよい。
【００５０】
以上、本発明の好ましい実施形態を説明したが、本発明はこれらに限定されることはなく、本発明の趣旨を逸脱しない範囲で、構成の付加、省略、置換、およびその他の変更が可能であり、上述した変形例を適宜組み合わせることも可能である。
【符号の説明】
【００５１】
１…回転電機
３…ステータ
４…ロータ
１１…ステータコア
１２…コイル
１４…ロータ内部流路（冷媒流路）
２１…ロータコア
２３…端面板
２３ａ…外周縁
３０…冷媒流通孔
３１，２３１，２３１Ａ，２３１Ｂ，２３１Ｃ，２３１Ｄ…表面処理部
Ｆ１…表面処理部の表面張力
Ｆ２…冷媒の表面張力
【図１】
2020114108.tif 000003
【図２】
2020114108.tif 000004
【図３】
2020114108.tif 000005
【図４】
2020114108.tif 000006
【図５】
2020114108.tif 000007
【図６】
2020114108.tif 000008
【図７】
2020114108.tif 000009
【図８】
2020114108.tif 000010
【図９】
2020114108.tif 000011
【図１０】
2020114108.tif 000012